(57)【要約】【課題】  ハンドオーバを行う際のレンジング処理を短縮すること。【解決手段】  制御部１０５は、第２基地局装置２０ｂから制御メッセージを受信し、この制御メッセージを受信したときの受信電力を取得する。また制御部１０７は、第２基地局装置２０ｂが制御メッセージを送信したときの送信電力を取得する。制御部１０７は、制御メッセージの受信電力と送信電力から第２基地局装置２０ｂとの間の伝搬遅延時間を算出し、それに応じてレンジング処理のため第２基地局装置２０ｂに送信する制御メッセージの送信タイミングを調整する。【選択図】図７
2009207004.tif 000002
【特許請求の範囲】
【請求項１】
基地局装置から送信される第１のメッセージを受信する受信部と、
前記第１のメッセージが前記基地局装置から送信されたときの送信電力に関する第１の情報を取得する第１取得部と、
前記第１のメッセージを受信したときの受信電力に関する第２の情報を取得する第２取得部と、
前記基地局装置に対してハンドオーバを要求し、前記基地局装置との間で、レンジング処理を含むハンドオーバ処理を実行する実行部とを備え、
前記実行部は、前記第１および第２の情報の基づき、前記レンジング処理に関する第２のメッセージの送信タイミングを調整する、
ことを特徴とする端末装置。
【請求項２】
前記実行部は、あらかじめ伝搬距離に応じた伝搬損失の関係式を規定しており、前記第１および第２の情報を前記関係式に適用することで、前記基地局装置との間の伝搬遅延時間を算出し、前記伝搬遅延時間に応じて、前記レンジング処理に関する第２のメッセージの送信タイミングを調整する、
ことを特徴とする請求項１に記載の端末装置。
【請求項３】
前記基地局装置から送信される第１のメッセージには、前記第１の情報が含まれており、第１取得部は、前記第１のメッセージより前記第１の情報を取得する、
ことを特徴とする請求項１または２に記載の端末装置。
【発明の詳細な説明】
【技術分野】
【０００１】
本発明は、ハンドオーバの制御技術に関し、特に現在通信中の基地局装置から他の基地局装置へ接続を切り替えるハンドオーバ制御方法およびそれを利用した端末装置に関する。
【背景技術】
【０００２】
PHS（Personal Handyphone System）のような無線通信システムでは、無線ゾーンごとに基地局装置が配置されている。無線ゾーンの端に位置することで通信品質が劣化した場合、端末装置は、現在通信中の基地局装置から他の基地局装置に接続を切り替えるハンドオーバを行う。このハンドオーバを高速に行うため、端末装置は、あらかじめ周辺の基地局装置を探索して、各々の基地局装置から送信される信号の電界強度を測定しておく。そして、基地局装置と通信中に、受信した信号の電界強度が所定のしきい値を下回った場合、現在通信中の基地局装置からもっとも電界強度の高い信号を送信している他の基地局装置に接続を切り替える。（例えば、特許文献１）
【特許文献１】特開2002-77964号公報
【発明の開示】
【発明が解決しようとする課題】
【０００３】
端末装置は、他の基地局装置へハンドオーバを行う際に、送信タイミングなどを調整するレンジング処理を実行する。利用者の利便性を向上させるためには、レンジング処理も含めたハンドオーバ処理の短縮が望まれる。しかしながら、端末装置がハンドオーバ元基地局装置の無線ゾーンの端に位置している場合、ハンドオーバ先基地局装置からも遠く離れているため、レンジング処理に時間がかかり、高速なハンドオーバ処理の実現が困難であった。
【０００４】
本発明はこのような状況に鑑みてなされたものであり、レンジング処理を短縮化できるハンドオーバ制御方法およびそれを利用した端末装置を提供することを目的とする。
【課題を解決するための手段】
【０００５】
本発明のある態様は、端末装置である。この端末装置は、基地局装置から送信される第１のメッセージを受信する受信部と、前記第１のメッセージが前記基地局装置から送信されたときの送信電力に関する第１の情報を取得する第１取得部と、前記第１のメッセージを受信したときの受信電力に関する第２の情報を取得する第２取得部と、前記基地局装置に対してハンドオーバを要求し、前記基地局装置との間で、レンジング処理を含むハンドオーバ処理を実行する実行部とを備え、前記実行部は、前記第１および第２の情報の基づき、前記レンジング処理に関する第２のメッセージの送信タイミングを調整する、ことをその要旨とする。
【０００６】
また、前記実行部は、あらかじめ伝搬距離に応じた伝搬損失の関係式を規定しており、前記第１および第２の情報を前記関係式に適用することで、前記基地局装置との間の伝搬遅延時間を算出し、前記伝搬遅延時間に応じて、前記レンジング処理に関する第２のメッセージの送信タイミングを調整する、ことが望ましい。
【０００７】
また、前記基地局装置から送信される第１のメッセージには、前記第１の情報が含まれており、第１取得部は、前記第１のメッセージより前記第１の情報を取得する、ことが望ましい。
【発明の効果】
【０００８】
本発明によれば、レンジング処理に要する時間を短縮でき、高速なハンドオーバを実現できる。
【発明を実施するための最良の形態】
【０００９】
本発明を具体的に説明する前に概要について述べる。本発明の実施の形態は、第二世代コードレス電話システムのように、PAC（Paging Area Contoroller）、複数の基地局装置、端末装置から構成される移動体通信システムに関する。PACは、一端に複数の基地局装置を接続し、他端にネットワークを接続する。複数の基地局装置は、それぞれ無線ゾーンを形成し、無線ゾーン内の端末装置と接続する。端末装置は、ある無線ゾーンから他の無線ゾーンに移動する場合、移動元の基地局装置から移動先の基地局装置へのハンドオーバを行う。
【００１０】
ハンドオーバにおいて、端末装置は、移動元の基地局装置との接続を切断するとともに、移動先の基地局装置との接続を確立するための処理を実行する。また、端末装置は、移動先の基地局装置との間で、信号の送信タイミングなどを調整するレンジング処理もあわせて実行する。レンジング処理において、基地局装置は、端末装置から送信されてくるリンクチャネル割当要求メッセージについて、送信タイミングの理想値からのずれ量を検出する。そして、基地局装置は、そのずれ量に基づき、端末装置における送信タイミングを制御するための補正量を算出し、リンクチャネル割当応答メッセージに含めて端末装置に送信する。基地局装置からのリンクチャネル割当応答メッセージを受信した端末装置は、リンクチャネル割当応答メッセージに含まれる補正量に基づき、送信タイミングを調整した後、リンク確立要求メッセージを基地局装置へ送信する。基地局装置は、リンク確立要求メッセージについて、送信タイミングの理想値からのずれ量が所定の範囲になく、端末装置における送信タイミングの調整が不十分であると判断すると、端末装置に対して再度送信タイミングを調整するように指示する。このようにして、端末装置と基地局装置は、端末装置における送信タイミングの理想値からのずれ量が所定の範囲に収束するまで、複数のメッセージを送受信する。
【００１１】
端末装置は、無線ゾーンの端でハンドオーバを実行することが多い。このような基地局装置から遠く離れた位置でハンドオーバを実行すると、端末装置における送信タイミングの理想値からのずれ量も大きくなりやすい。一方で、メッセージにおいて補正量を表現するための情報量はあらかじめ規定されているため、無線ゾーンの端でハンドオーバを実行すると、レンジング処理のため複数のメッセージを送受信することになり、高速なハンドオーバの実現が困難となる。
【００１２】
したがって、本発明の実施の形態における端末装置においては、移動先の基地局装置との間の信号の伝搬遅延時間を考慮して、レンジング処理のメッセージの送信タイミングが早くなるように調整する。これにより、レンジング処理において、端末装置における送信タイミングの理想値からのずれ量が小さくなり、高速なハンドオーバを実現することができる。
【００１３】
図１は、本発明の実施の形態における移動体通信システム１の構成を示す概念図である。移動体通信システム１は端末装置１０と基地局装置２０と総称される第１基地局装置２０ａ、第２基地局装置２０ｂ、PAC３０、およびネットワーク４０を含む。
【００１４】
端末装置１０は、所定の無線通信方式で基地局装置２０と通信を行う。ここでは、無線通信方式として、TDMA/TDD（Time Division Multiple Access/Time Division Duplex）方式にOFDMA（Orthogonal Frequency Division Multiple Access）を適用したものを想定する。
【００１５】
基地局装置２０は、一端に無線通信で端末装置１０と接続し、他端に有線通信でPAC３０に接続する。ここで第１基地局装置２０ａが移動元の基地局装置であり、第２基地局装置２０ｂが移動先の基地局装置であるとする。端末装置１０は、自身または第１基地局装置２０ａのいずれか一方の開始指示により、第１基地局装置２０ａとの接続を切断し、第２基地局装置２０ｂとの接続を確立するハンドオーバを実行する。
【００１６】
PAC３０は、基地局装置２０を制御し、端末装置１０と図示しない通信装置との間でネットワーク４０を介したデータの送受信を実現する。例えば、ネットワーク４０から受け付けた端末装置１０宛てのデータを基地局装置２０に送信する。このため、PAC３０は、端末装置１０が基地局装置２０と接続したときに、端末装置１０との間で位置登録を実行する。また、端末装置１０が第１基地局装置２０ａから第２基地局装置２０ｂへハンドオーバしたときは、基地局装置２０との間で端末接続変更を実行する。
【００１７】
ネットワーク４０は、一端にPAC３０を接続し、他端に図示しない通信装置を接続する。ネットワーク４０は、例えば、TCP/IP（Transmission Control Protocol / Internet Protocol）方式によるネットワークを想定する。
【００１８】
図２は、移動体通信システム１の無線通信方式におけるTDMA/TDD方式のフレーム構成を示す概念図である。図２に示すように上り通信（端末装置１０から基地局装置２０）について４つのタイムスロット、下り通信（基地局装置２０から端末装置１０）について４つのタイムスロットによってTDMAフレーム（以下、フレーム）が構成され、さらにフレームが連続して配置されている。本実施の形態においては上り通信と下り通信は対称であるため、以下においては、説明の便宜上、上り通信あるいは下り通信のいずれか一方のみ説明を行う場合もあるが、他方についても同様である。
【００１９】
移動体通信システム１の無線通信方式では、さらに図３に示すように、OFDMAも適用し、一つのタイムスロットに複数の端末装置１０を割り当てる。図３は横軸の方向に時間軸上のタイムスロットの配置を示し、縦軸の方向に周波数軸上のサブチャネルの配置を示す。すなわち、横軸の多重化がTDMAに相当し、縦軸の多重化がOFDMAに相当する。図３には１フレームにおける第１タイムスロット（図中、T1と表示）から第４タイムスロット（図中、T4と表示）が含まれている。また、図３には各タイムスロットにおける第１サブチャネル（図中、SC1と表示）から第１８サブチャネル（図中、SC18と表示）が含まれている。図２では第１タイムスロットの第２サブチャネルに「端末装置Ａ」が、第２タイムスロットの第２サブチャネルから第４サブチャネルに「端末装置Ｂ」が、第３タイムスロットの第１６サブチャネルに「端末装置Ｃ」が、そして第４タイムスロットの第１３サブチャネルから第１５サブチャネルに「端末装置Ｄ」がそれぞれ割り当てられている。また、図３では第１サブチャネルを制御チャネル専用サブチャネルとして確保しており、図中では第１基地局装置２０ａが第１タイムスロットの第１サブチャネルに「制御チャネルＢＳ１」を、第２基地局装置２０ｂが第２タイムスロットの第１サブチャネルに「制御チャネルＢＳ２」を割り当てている。
【００２０】
図４は、図３においてタイムスロットとサブチャネルで特定されるサブチャネルブロックの構成を示す概念図である。図３の横方向は、時間軸であり、縦方向は、周波数軸を示している。「１」から「２４」の番号は、サブキャリアの番号を示す。このようにサブチャネルは、OFDMのマルチキャリア信号によって構成されている。図中、「TS」は、トレーニングシンボルに相当し、同期検出用のシンボル、伝送路特性の推定用シンボル等の既知信号を含む。「GS」は、ガードシンボルに相当し、ここに実効的な信号は配置されない。「PS」はパイロットシンボルに相当し、既知信号によって構成される。「DS」はデータシンボルに相当し、送信すべきデータである。
【００２１】
端末装置１０と基地局装置２０は、サブチャネルブロックで制御チャネルを形成し、所定の制御メッセージを送受信することで、データを送受信する通信チャネルを確立する。
【００２２】
制御チャネルは、アクセス形態から共有チャネル（以下、「CCH」）と個別チャネル（以下、「ICH」）に分類される。「CCH」は、基地局装置２０にアクセスする端末装置１０が共有して利用するチャネルである。「CCH」は、図３に示すように、基地局装置２０ごとに制御チャネル専用サブチャネルに含まれる特定のタイムスロット（以下、専用サブチャネルブロック）で形成される。一方、「ICH」は、基地局装置２０にアクセスする端末装置１０が個別に利用するチャネルである。「ICH」は、端末装置１０ごとに制御チャネル専用サブチャネルに含まれない任意のサブチャネルブロックで形成される。
【００２３】
「CCH」型の制御チャネルには、リンクチャネルの割り当てを要求する端末装置１０を認識するタイミング収集チャネル（以下、「TCCH」）、システム情報のスタートを示す報知用チャネル（以下、「BCCH」）、端末装置１０への着信を報知する着信情報チャネル（以下、「PCH」）、端末装置１０へ割り当てたチャネルを報知するチャネル割当制御チャネル（以下、「SCCH」）などが含まれる。
【００２４】
「TCCH」では、あらかじめ挿入すべきデータシンボル値の組み合わせが複数規定されている。このため、基地局装置２０は、複数の端末装置１０から同時に「TCCH」を受信した場合であっても、データシンボル値の組み合わせが異なっていれば、複数の端末装置１０を認識することができる。
【００２５】
「BCCH」では、図５（ａ）に示すようにPHYヘッダ、PHYデータ、CRC（Cyclic Redundancy Check）、TAILからなるPHYフレームを形成し、PHYレイヤで制御メッセージを伝送する。「PCH」なども同様である。
【００２６】
一方、「ICH」型の制御チャネルには、プロトコルメッセージを送受信するプロトコル制御チャネル（以下、「ICCH」）、基地局装置２０が割り当てたチャネルの付随情報を示す付随情報チャネル（以下、「ACCH」）などが含まれる。
【００２７】
「ICCH」では、図５（ｂ）に示すようにPHYデータにMACヘッダ、MACデータを含めてMACフレームを形成し、MACレイヤで制御メッセージを伝送する。「ACCH」なども同様である。
【００２８】
図６（ａ）−（ｂ）に制御メッセージフォーマットの一例を示す。無線チャネル情報を［BCCH］で報知するための制御メッセージは、図６（ａ）に示すように、「メッセージ識別子」と「LCCH構造情報」と「送信電力情報」とを含む。基地局装置２０は、「BCCH」、「PCH」および「SCCH」を含めて論理制御チャネル（以下、「LCCH」）を構成し、専用サブチャネルブロックで端末装置１０に間欠送信する。「LCCH構造情報」は、LCCH構造に関する情報（例えば、インターバル値）を含む。端末装置１０は、「LCCH構造情報」を受信することで、基地局装置２０を補足することが可能となる。「送信電力情報」は、「BCCH」が基地局装置１０から送信された際の電力に関する情報を含む。端末装置１０は、「送信電力情報」に基づき、基地局装置２０までの伝搬距離を算出する。これについては後述する。
【００２９】
端末装置１０からのリンクチャネル割当要求に対して、基地局装置２０が「SCCH」で応答する制御メッセージは、図６（ｂ）に示すように「メッセージ識別子」と「PRU番号」と「タイミング制御情報」とを含む。フレーム内のサブチャネルブロックごとに「PRU番号」が対応付けられており、端末装置１０は、「PRU番号」により、割り当てられたサブチャネルブロックを特定する。端末装置１０は、「タイミング制御情報」に基づき、レンジング処理を実行する。これについては後述する。
【００３０】
図７は、端末装置１０の構成を示す概念図である。図７において、アンテナ１００は、無線周波数の信号を送受信する。
【００３１】
無線部１０１は、送信動作として送受信部１０２からのベースバンド信号を周波数変換し、無線周波数のマルチキャリア信号を導出する。また、受信動作としてアンテナ１００で受信した無線周波数のマルチキャリア信号を周波数変換し、ベースバンド信号を導出し、送受信部１０２に出力する。また、なお、ベースバンド信号は、同相成分（In-phase）と直交成分（Quadrature-phase）から形成されるが、説明を簡略化するため図７では、ひとつの信号線のみ記載する。また、無線部１０１は、AGC(Auto Gain Contorol)やA/D（Analog/Digital）変換部を含む。
【００３２】
送受信部１０２は、送信動作として変復調部１０３から送られてきた周波数領域信号を複数のサブチャネルに割り当てて周波数領域のマルチキャリア信号を形成し、これを時間領域信号に変換して、無線部１０１に出力する。なお、周波数領域信号から時間領域信号への変換にはIFFT（Inversed Fast Fourier Transform）を利用する。
【００３３】
送受信部１０２は、受信動作として無線部１０１から送られてきた時間領域信号を周波数領域のマルチキャリア信号に変換し、これをサブキャリアごとの周波数領域信号に分離し、変復調部１０３に出力する。なお、時間領域信号から周波数領域のマルチキャリア信号への変換にはFFT（Fast Fourier Transform）を利用する。
【００３４】
変復調部１０３は、送信動作としてIF部１０４から入力した信号を変調する。変調方式としては、BPSK（Binary Phase Shift Keying）、QPSK（Quadrature Phase Shift Keying）、16QAM（Quadrature Amplitude Modulation）、64QAM、256QAMなどを用いる。
変復調部１０３は、受信動作として送受信部１０２から送られてきた周波数領域の信号に対して復調を行い、IF部１０４に出力する。
【００３５】
IF部１０４は、受信動作として変復調部１０３で復調された信号を図示しない処理部に出力する。例えば、音声信号に相当する場合は、図示しない音声処理部へ出力する。また、送信動作として図示しない処理部から入力された信号を変復調部１０３に出力する。
【００３６】
制御部１０５は、端末装置１０全体のタイミングの制御等を行う。また制御部１０５は、調整部１０５０、ハンドオーバ処理部１０５１、レンジング処理部１０５２を含み、基地局装置２０との間でハンドオーバ処理を実行する。
【００３７】
調整部１０５０は、第１基地局装置２０ａと通信を実行している間に、図３の「制御チャネルＢＳ2」において、第２基地局装置２０ｂが間欠送信している「LCCH」を捕捉する。調整部１０５０は、「LCCH」に含まれる「BCCH」の制御メッセージを受信すると、その受信電力を取得する。また制御メッセージに含まれる「送信電力情報」に基づき、「BCCH」の制御メッセージが基地局装置２０ｂで送信されたときの送信電力を取得する。
【００３８】
調整部１０５０は、「BCCH」の制御メッセージを受信したときの受信電力（Wr[db]）と、基地局装置２０ｂで送信されたときの送信電力（Ws[db]）を次式に適用し、伝搬損失（Lp[db]）を算出する。
【００３９】
【数１】
2009207004.tif 000003
調整部１０５０は、算出した伝搬損失を、伝搬距離をパラメータとして含む伝搬損失の推定式に適用し、次式により第２基地局装置２０ｂとの伝搬距離を算出する。
【００４０】
【数２】
2009207004.tif 000004
ここで、伝搬損失の推定式としては、奥村―秦式の推定式を用いる。なお、奥村―秦式の推定式は、「奥村義久ら，“陸上移動無線における伝搬特性の実験的研究”,通研実報,[16],9,pp. 1705-1764」に詳しいので、ここでの説明を省略する。 
【００４１】
調整部１０５０は、算出した伝搬距離を次式に適用し、第２基地局装置２０ｂとの伝搬遅延時間を算出する。
【００４２】
【数３】
2009207004.tif 000005
基地局装置２０は、「TCCH」を受信したときの受信タイミングを、あらかじめ規定した理想値と比較することで、端末装置１０で補正すべき送信タイミングのずれ量を決定している。そこで、調整部１０５０は、算出した伝搬遅延時間に相当するデータシンボルだけ、「TCCH」の送信タイミングを早くするように調整する。これにより「TCCH」の送信タイミングがあらかじめ伝搬遅延時間に応じて調整されているため、基地局装置２０で受信したときの受信タイミングも理想値に近くなり、レンジング処理の短縮が期待できる。
【００４３】
ハンドオーバ処理部１０５１は、第１基地局装置２０ａにアクセスの切替処理の要求を行う「ICCH」の制御メッセージを送信することでハンドオーバ処理を開始する。ハンドオーバ開始の条件としては、例えば、第１基地局装置２０ａから受信した信号のRSSIが所定のしきい値より小さくなった場合やCRCで検出したエラー数が所定のしきい値より大きくなった場合などが想定される。なお、ハンドオーバ処理の開始を第１基地局装置２０ａから指示するようにしてもよい。第１基地局装置２０ａのチャネル割当の自由度が向上し、効率的な無線リソースの活用が期待できるからである。
【００４４】
ハンドオーバ処理部１０５１は、「ICCH」の制御メッセージにより、第１基地局装置２０ａからアクセスの切替処理の指示を受けると、第２基地局装置２０ｂに調整部１０５０で送信タイミングを調整した「TCCH」を送信し、レンジング処理を実行するためリンクチャネルの割当処理を要求する。
【００４５】
ハンドオーバ処理部１０５１は、「SCCH」の制御メッセージにより、第２基地局装置２０ｂからリンクチャネルの割当処理の応答を受けると、レンジング処理部１０５２にレンジング処理の実行を指示する。また、ハンドオーバ処理部１０５１は、割り当てられたリンクチャネルでキャリアセンスを行う。RSSI（Receive Signal Strength Indication）があらかじめ規定されたレベルより小さい、つまりリンクチャネルが空いていることを確認すると、ハンドオーバ処理部１０５１は、第２基地局装置２０ｂに「ICCH」を送信し、リンクの確立処理を要求する。
【００４６】
ハンドオーバ処理部１０５１は、「ICCH」の制御メッセージにより、第２基地局装置２０ｂからリンクの確立処理の応答を受けると、必要なら認証処理、位置登録処理などを行い、第２基地局装置２０ｂとの間でデータを送受信するための通信チャネルを確立する。
【００４７】
なお、ハンドオーバ処理部１０５１は、第１基地局装置２０ａとの間の接続を維持しながら、第２基地局装置２０ｂとの間で通信チャネルを確立する処理を行ってもよいし、第１基地局装置２０ａとの間の接続を切断してから行ってもよい。第１基地局装置２０ａとの間の接続を維持しながら処理を行えば、データ通信が途切れることがないのでシームレスなハンドオーバを実現できる。第１基地局装置２０ａとの間の接続を切断してから処理を行えば、端末装置１０の処理負担が軽減され、消費電力を低減できる。
【００４８】
レンジング処理部１０５２は、ハンドオーバ処理部１０５１の指示により、第２基地局装置２０ｂから送信された「SCCH」の制御メッセージを参照し、レンジング処理を実行する。具体的には、制御メッセージの「タイミング制御情報」に基づき、信号の送信タイミングを制御する。
【００４９】
以上の構成による移動体通信システム１の動作を説明する。図８は、端末装置１０が第１基地局装置２０ａから第２基地局装置２０ｂにハンドオーバする手順を示すシーケンス図である。端末装置１０は、第１基地局装置２０ａと通信中（S100）に、受信した信号のRSSIが所定のしきい値より小さくなるとハンドオーバを決定する（S101）。端末装置１０は、第２基地局装置２０ｂから報知される「BCCH」の制御メッセージを受信し、第２基地局装置２０ｂを捕捉する。さらに端末装置１０は、「BCCH」の制御メッセージに含まれる「送信電力情報」に基づき、第２基地局装置２０ｂとの間の伝搬遅延時間を算出し、それに応じて「TCCH」の送信タイミングを早めに調整する（S104）。端末装置１０は、第１基地局装置２０ａから第２基地局装置２０ｂへハンドオーバを実行し（S105）、第２基地局装置２０ｂとの間で通信チャネルを確立する（S106）。
【００５０】
図９は、第１基地局装置２０ａとの接続の切断手順を示すフローチャートである。端末装置１０は、「ICCH」の制御メッセージを送信し、第１基地局装置２０ａにアクセスの切替処理を要求する（S200）。第１基地局装置２０ａは、端末装置１０との接続を切断するための処理を開始する（S201）。例えば、端末装置１０が、第２基地局装置２０ｂと接続するまで、データのバッファリングを希望する場合は、端末装置１０宛てのデータをバッファに退避しておく。第１基地局装置２０ａは、「ICCH」の制御メッセージを送信し、端末装置１０にアクセスの切替を指示する（S202）。端末装置１０は、通信チャネルとして割り当てられたサブチャネルブロックを解放し、第１基地局装置２０ａとの接続を切断する（S023）。
【００５１】
図１０は、第２基地局装置２０ｂとの通信チャネルを確立する接続手順を示すフローチャートである。端末装置１０は、第２基地局装置２０ｂが「LCCH」を報知している専用サブチャネルブロックで「TCCH」を送信し、第２基地局装置２０ｂにリンクチャネルの割当処理を要求する（S300）。第２基地局装置２０ｂは、「TCCH」の波形パターンにより端末装置１０を認識すると、「TCCH」の受信タイミングに基づき、端末装置１０に制御させるための送信タイミングを決定する（S301）。第２基地局装置２０ｂは、リンクチャネルを割り当てたサブチャネルブロックおよび送信タイミングに関する情報を「SCCH」の制御メッセージに含め、端末装置１０に送信する（S302）。端末装置１０は、「SCCH」の制御メッセージで指示された送信タイミングに関する情報に基づき、レンジング処理を実行する（S303）。端末装置１０は、「SCCH」の制御メッセージで特定されたサブチャネルブロックで「ICCH」の制御メッセージを送信し、リンクの確立処理を要求する（S304）。
【００５２】
ここで、複数の端末装置１０が同じ「TCCH」の波形パターンを送信した場合、ひとつのリンクチャネルで複数の端末装置１０からリンクの確立処理の要求が送信されることがある。そこで、第２基地局装置２０ｂは、ひとつのリンクチャネルで複数の端末装置１０からリンクの確立処理の要求がされたのか否かを確認する（S305）。ひとつのリンクチャネルでひとつの端末装置１０とリンクを確立できる状態であれば（S305のY）、第２基地局装置２０ｂは、「ICCH」の制御メッセージを送信し、リンクの確立を通知する（S306）。すでに他の端末装置１０とリンクの確立をしていた場合などは、該当する端末装置１０はリンクチャネルの割当処理からやり直す（S305のN）。端末装置１０は、「ICCH」の制御メッセージによりリンクの確立の通知を受けると（S307のY）、第２基地局装置２０ｂとの間で認証処理などを含むアクセスの確立処理を実行し、通信チャネルを確立する（S308）。一方、所定の期間内に基地局装置２０ｂからリンクの確立の通知がなかった場合は、リンクのリンクチャネルの割当要求からやり直す（S307のN）。
【００５３】
このような本発明の実施の形態によれば、以下の通りの作用効果を享受することができる。
【００５４】
（１）制御部１０５は、第２基地局装置２０ｂから制御メッセージを受信し、この制御メッセージを受信したときの受信電力を取得するとともに、第２基地局装置２０ｂが制御メッセージを送信したときの送信電力を取得し、制御メッセージの受信電力と送信電力から第２基地局装置２０ｂとの間の伝搬遅延時間を算出し、この伝搬遅延時間に応じてレンジング処理のため第２基地局装置２０ｂに送信する制御メッセージの送信タイミングを調整する。これにより、送信タイミングに関するレンジング処理を短縮でき、高速なハンドオーバが実現できる。
【００５５】
（２）また、制御部１０５は、第２基地局装置２０ｂから受信した制御メッセージの送信電力と受信電力から伝搬損失を算出し、あらかじめ規定した伝搬距離をパラメータとして含む伝搬損失の推定式に適用して、第２基地局装置２０ｂとの間の伝搬遅延時間を算出し、この伝搬遅延時間に応じてレンジング処理に関する制御メッセージの送信タイミングを調整する。これにより、正確に送信タイミングの調整が行える。また、送信タイミングに関するレンジング処理の効率が向上する。
【００５６】
（３）また、制御部１０５は、第２基地局装置２０ｂから受信した制御メッセージに含まれる送信電力に関する情報に基づき、第２基地局装置２０ｂが制御メッセージを送信したときの送信電力を取得する。これにより、簡単に制御メッセージの送信電力を取得できる。また、第２基地局装置２０ｂから直接取得できるので、正確な送信電力を求めることができる。また、伝搬遅延時間の推定精度が向上するため、効率的な送信タイミングに関するレンジング処理を実現できる。
【００５７】
以上、本発明を実施するための最良の形態について説明をしてきたが、本発明は、この実施の形態の構成に限定されるものではなく、特許請求の範囲に規定された本発明の適用範囲にあり、上述した実施の形態の構成が備える機能を達成可能であれば、いろいろな変形が可能である。
【００５８】
例えば、本発明の実施の形態において伝搬損失の推定式として奥村―秦式の推定式を用いたが、この式に設置環境に応じた補正係数や補正項を追加して伝送損失を推定してもよい。
【図面の簡単な説明】
【００５９】
【図１】本発明の実施の形態に係る移動体通信システムの構成を示す概念図
【図２】TDMAフレーム構成を示す概念図
【図３】OFDMAによる周波数多重化されたタイムスロットを示す概念図
【図４】サブチャネルブロックの構成を示す概念図
【図５】制御チャネルの構成を示す概念図
【図６】制御メッセージフォーマットの一例を示す概念図
【図７】本発明の実施の形態に係る端末装置の構成を示す概念図
【図８】ハンドオーバ手順を示すシーケンス図
【図９】切断手順を示すフローチャート
【図１０】接続手順を示すフローチャート
【符号の説明】
【００６０】
１０１        無線部
１０２        送受信部
１０３        変復調部
１０４        IF部
１０５        制御部
１０５０      調整部
１０５１      ハンドオーバ処理部
１０７２      レンジング処理部
【図１】
2009207004.tif 000006
【図２】
2009207004.tif 000007
【図３】
2009207004.tif 000008
【図４】
2009207004.tif 000009
【図５】
2009207004.tif 000010
【図６】
2009207004.tif 000011
【図７】
2009207004.tif 000012
【図８】
2009207004.tif 000013
【図９】
2009207004.tif 000014
【図１０】
2009207004.tif 000015